(57)【要約】【課題】開口した段ボールケースに内容物を充填した後に、前方内フラップを折った後、後方内フラップを折り、そして上下の外フラップを折り込んで、フラップの境目がずれる事なく美しい封函をする。機長を短くコンパクトにすることが出来る。【解決手段】前方の内フラップ１０を折るアールガイド５の回転軸と後方の内フラップ１１を折るハンマー４の回転軸とを同軸６上に構成し、この軸６を駆動する駆動源としてエアシリンダー７を設けて内容物１７を充填した段ボールケース１４の前方フラップをアールガイド５で折り、次いでハンマー４で後方の内フラップを折り、折った前後方の内フラップを押さえる内フラップ押さえ板８を構成して内フラップを押さえ、上下の外フラップ１２を半開きに折った状態で、アールダイド５及びハンマー４を回転させて復帰させるよう構成される段ボールのフラップ折り装置。【選択図】図１
2004059027.tif 000002
【特許請求の範囲】
【請求項１】
内容物が充填された段ボールケースの内フラップ折り装置と外フラップ折り装置を備えてフラップを折るフラップ折り装置において、前方の内フラップを折るアールガイドと後方の内フラップを折るハンマーとを同軸に構成して、この軸を駆動する駆動源を設けた事を特徴とする段ボールケースのフラップ折り装置。
【請求項２】
前記のアールガイドとハンマーを１軸で一緒に駆動する構成とし、これを駆動する１個のエアシリンダーで駆動する事を特徴とする請求項１に記載の段ボールケースのフラップ折り装置。
【請求項３】
内フラップ押さえ板を設けて内フラップを押さえて、外フラップの上下に設けたエアシリンダーで外フラップを半開きに折り込む事を特徴とする請求項１に記載の段ボールケースのフラップ折り装置。
【請求項４】
段ボールケースの外フラップを半開きにするためにエアシリンダーを設け、そのシリンダーロットの先端に外フラップ押さえ棒を設けて、外フラップを半開きに仮閉めしておいて、内フラップの戻り止めの役目をしているハンマーをフラップ間に挟まずに回転させながら戻し、ハンマーと同軸のアールガイドによって半開きの外フラップを閉め込み、アールガイドで上下外フラップを押さえて、完全に上下外フラップを正しい状態で綴じ、封緘することが出来るようにした事を特徴とする請求項１又は請求項３のいずれかの各項に記載の段ボールケースのフラップ折り装置。
【発明の詳細な説明】
【０００１】
【発明の属する技術分野】本発明に係る段ボールケースのフラップ折り装置は、製品の集積（段積）及び投入装置と段ボールケースの製凾及び封緘部により一組として構成されているセットアップケーサー（製品の梱包装置）において、内容物を充填した段ボールケースのフラップを折り、封緘する装置に関するものである。
【０００２】
【従来の技術】段ボールケースのフラップを折る装置に関する発明は、特開２００１−２２５８０４号公報、特開２００１−３２８１８２号公報、特開２００１−３３６９１５号公報、特開０７−２１５３１６号公報、特開０６−３４５００８号公報などに記載がある。段ボールケースの内外のフラップを折り込んで封函する一般的な場合は、内フラップを閉めた後段ボールケース自体を台上で搬送して棒ガイドに当てて走りながら折るので、外フラップを閉めるまでの距離を必要とする為に機長が長くなって、設置場所に制約されるという問題があった。段ボールケースを搬送する事なく、一箇所で内フラップ及び外フラップを閉めることが必要になる。
【０００３】
【発明が解決しようとする課題】本発明は、段ボールケースに内容物を充填した後に、前方の内フラップを折り次いで後方の内フラップを折り、そして上下の外フラップを折り、外フラップの境目が正しい状態に折る事が出来て、設置場所が狭い所にも設置可能なコンパクトな製凾部を備えて封函部へ移送出来る装置を提供しようとするものである。
【０００４】
【課題を解決するための手段】本発明に係る段ボールケースのフラップ折り装置は、段ボールケースの前方の内フラップを曲がった丸パイプ状のガイドに押し当てて折るアールガイド（以下、これをアールガイドという。）の回転軸と後方の内フラップを回転するアームに設けたハンマー状のガイドで押して折るハンマー（以下、これをハンマーという。）の回転軸とを同軸上に１軸で構成し、この軸を駆動する駆動源としてエアシリンダーを設けて、内容物を充填した段ボールケースを封函部方向へ搬送しつつ前方内フラップをアールガイドで折り、更に閉めた内フラップが開かないように戻り止めの内フラップ押さえ板まで搬送して止め、次いでハンマーで後方の内フラップを折り、折った前後方の内フラップを押さえる内フラップ押さえ板を構成して内フラップを押さえ、これを保持して、上下の外フラップを折るエアシリンダーを設け、シリダーロットの先端に外フラップ押さえ棒を設けて、外フラップを半開きにしてハンマーを回転させて戻すと同時に同軸に設けたアールガイドにより外フラップの外側を完全に押さえて、外フラップの境目がずれないようにして封函部へ移送する事が出来るよう構成してある段ボールケースのフラップ折り装置である。
【０００５】請求項１に記載の本発明は、内容物が充填された段ボールケースの内フラップ折り装置と外フラップ折り装置を備えてフラップを折るフラップ折り装置において、前方の内フラップを折るアールガイドと後方の内フラップを折るハンマーとを同軸に構成して、この軸を駆動する駆動源を設けた事を特徴とする段ボールケースのフラップ折り装置である。
【０００６】請求項２に記載の発明の実施態様は、前記のアールガイドとハンマーを１軸で一緒に駆動する構成とし、これを駆動する１個のエアシリンダーを設ける事を特徴とするものである。
【０００７】請求項３に記載の発明の実施態様は、内フラップ押さえ板を設けて内フラップを押さえて、外フラップの上下にエアシリンダーを設けてストロークを調整し、シリンダーロットの先端に設けたフラップ押さえ棒で外フラップを半開きに押さえるようにした事を特徴とするものである。
【０００８】請求項４に記載の発明の実施態様は、請求項１又は請求項３のいずれかの各項に記載の段ボールケースのフラップ折り装置において、段ボールケースの外フラップを半開きにするためにエアシリンダーを設け、そのシリンダーロットの先端に設けた外フラップ押さえ棒で、外フラップを半開きに仮閉めしておいて、内フラップの戻り止めの役目をしているハンマーをフラップ間に挟まずに回転させて抜き、ハンマーと同軸のアールガイドによって半開きの外フラップを閉め込み、上下外フラップを押さえて、完全に上下外フラップを正しい状態で綴じることが出来るようにした事を特徴とするものである。
【０００９】
【発明の実施の形態】本発明の技術的思想は、実施例において次に記載の態様において具体化されている。
【００１０】実施例は、段ボールケースの前方の内フラップを折るアールガイドの回転軸と後方の内フラップを折るハンマーの回転軸とを同軸上に１軸で構成し、この軸を駆動する駆動源として１個のエアシリンダーを設けている。
【００１１】内容物を充填した段ボールケースの前方内フラップをアールガイドで折り、次いでハンマーで後方の内フラップを折り、折った前後方の内フラップを押さえる内フラップ押さえ板を構成し、内フラップを内フラップ押さえ板で押さえて、上下の外フラップを折り込むシリンダーのシリンダーロットのストロークを調整して上下の外フラップを半開きに折ることが出来る。
【００１２】そのために段ボールケースの外フラップの上下にはエアシリンダーを設け、エアシリンダーのシリンダーロットの先端に外フラップ押さえ棒を設けてある。エアシリンダーのストロークを外フラップを半開きに折る事が出来るように調整して、外フラップが半開きの状態でハンマーを回転させて戻すと同時にこれと１軸で構成したアールガイドにより前記半開きの外フラップの外側を完全に押さえて外フラップの境目がずれないようにして、封函出来るよう構成してある。
【００１３】
【実施例】添付図面は、本発明に係るフラップ折り装置の実施例について図示するものである。図１は、段ボールケースに内容物を充填している状態を示す本発明に係るフラップ折り装置の平面図、図２は、同上側面図、図３は、同上正面図、図４は、ハンマーと同軸に設けたアールガイドで、段ボールケースの前方内フラップを折り始めた状態を示す平面図、図５は、同上側面図、図６は、同上正面図、図７は、段ボールケースの前方内フラップを折り、内フラップ押さえ板で押さえた状態を示す平面図、図８は、同上側面図、図９は、同上正面図、図１０は、アールガイドと同軸に設けたハンマーで、段ボールケースの後方内フラップを折り始めた状態を示す平面図、図１１は、同上側面図、図１２は、同上正面図、図１３は、段ボールケースの後方内フラップを折り終わった状態を示す平面図、図１４は、同上側面図、図１５は、同上正面図、図１６は、エアシリンダーで、段ボールケースの外フラップを半開きに折った状態を示す平面図、図１７は、同上側面図、図１８は、同上正面図、図１９は、段ボールケースの外フラップをアールガイドで折り終わった状態を示す平面図、図２０は、同上側面図、図２１は、同上正面図、図２２は、本発明に係るフラップ折り装置を製品の梱包装置に組み入れた状態を示す平面図（一点鎖線で従来のフラップ折り装置１９を示す。）をそれぞれ示すものである。
【００１４】
【実施例１】本発明に係る段ボールケースのフラップ折り装置の１実施例であり、図１、図２、図３に基づいて説明すれば、段ボールケース１４を組み立て、内容物１７を段ボールケース１４に充填して、段ボールケースの前方の内フラップ１０を折り、次いで後方の内フラップ１１を折って、上下の外フラップ１２を折るように構成されている。
【００１５】図４、図５、図６、図７、図８、図９に基づいて説明すれば、段ボールケース１４の前方及び後方の内フラップを折るためには、前方の内フラップ１０を折るアールガイド５により前方の内フラップが折られる。
【００１６】次いで図１０、図１１、図１２、図１３、図１４、図１５に基づいて説明すれば、前方の内フラップが折られると内フラップの戻り止めのある所で止めて、後方の内フラップ１１を折るハンマー４が回転して後方の内フラップが折られるように構成されている。この場合に、前方の内フラップ１０を折るアールガイド５の回転軸６と後方の内フラップ１１を折るハンマー４の回転軸６とを同軸上に１軸で構成してあり、これを駆動する駆動源としてエアシリンダー７を設けて駆動する事により、ハンマー４を回転させると同軸に設けたアールガイド５も回転し、アールガイドは内フラップから外れる。
【００１７】ハンマー４とアールガイド５は１軸で構成されるために、エアシリンダー７が作動してハンマー４が回転して後方の内フラップ１１を折ると同時に同軸のアールガイド５も回転している状態になる。このとき既にアールガイド５により前方の内フラップ１０は押されて、折られており、ハンマー４が回転して後方の内フラップ１１を折ると同軸のアールガイド５は回転して、アールガイド５に代わって戻り止めの内フラップ押さえ板８により内フラップ１０，１１は押さえられることになる。
【００１８】図１６、図１７、図１８、図１９、図２０、図２１に基づいて説明すれば、内フラップ１０，１１を内フラップ押さえ板８で押さえつつ、上下の外フラップ１２を折る。そのために段ボールケース１４の外フラップ１２の上下にはエアシリンダー９を設け、エアシリンダー９のストロークを調整して、シリンダーロット先端に設けた外フラップ押さえ棒１８で外フラップ１２を半開き状態に出来るようにし、ストロークが伸びて半開きにしたところで上下外フラップ１２の隙間を通ってハンマー４を回転させて戻す事になる。
【００１９】
【実施例の作用】所定の場所に設置される図２２に示す梱包装置の台１６上に本発明の実施例に係る段ボールケースのフラップ折り装置１を載置し、搬送台２上で段ボールケース１４に内容物１７を充填して、前方の内フラップ１０を折り終わった段階でアールガイド５とハンマー４の１軸の駆動用に設けたエアシリンダー７が作動して、ハンマー４が回転して後方の内フラップ１１を折る。同時に同軸のアールガイド５も回転して、内フラップは内フラップ押さえ板８により保持されて、ハンマー４が回転しながら後方の内フラップ１１を折ると、上下外フラップ１２を折り込むためのエアシリンダー９のストロークが伸びて外フラップ１２を半開きにするよう予めシリンダーロットが調整されている。上下外フラップの半開きの隙間を通ってハンマー４を復帰させると同軸の前記アールガイド５により半開きの外フラップ１２の外側を完全に押さえ直して、外フラップ１２の上下の境目がずれないように作用して、テーピング装置３により美しく封函する事が出来る。
【００２０】
【発明の効果】本発明に係る段ボールケースのフラップ折り装置は、次に記載の効果を奏するものである。
【００２１】本発明装置は、前方の内フラップを折るアールガイドと後方の内フラップを折るハンマーとを同軸に構成して、この軸を駆動するエアシンリンダーを設けた事により、フラップ折り装置がコンパクトになる構成にすることが出来るようになった。
【００２２】前記のアールガイドとハンマーを同軸上に構成して一緒に駆動する事により、１軸で兼ねる事が出来るために１個のエアシリンダーを設ければよく、構成を簡素化する事が出来る。
【００２３】内フラップ押さえ板を設けて内フラップを保持させて、外フラップの上下にエアシリンダーを設けて外フラップを半開きにした事により、テーピングの前に外フラップを折り込むための棒状の折り込み装置を設ける必要がなくなり、その分短い距離でテーピング装置（封函部）へ段ボールケースを移送する事が出来る。この結果、製品の梱包装置のためのセットアップケーサーの製凾部を短く構成出来るので、設置場所の小スペース化が可能になった。
【００２４】即ち、製品の梱包の機長が段ボールケースの大きさにもよるが１乃至２メートルぐらい短かく構成出来ることになる。この結果、機械の設置スペースを短くすることが出来る。従って、従来の課題であった狭い場所にも機械を設置する事が出来る。
【００２５】段ボールケースの外フラップを半開きにするためにエアシリンダーを設け、シリンダーロットの先端に外フラップ押さえ棒を設けて、外フラップの方へ向けて、外フラップを半開きにして、仮閉めしておいて、内フラップの戻り止めの役目をしているハンマーを挟まずに回転させる事が出来る。ハンマーが出ると同時に同軸のアールガイドによって半開きの外フラップを完全に上下がずれる事なく閉め込む事が出来る。前記のアールガイドで上下外フラップを押さえて、完全に上下外フラップを正しい状態で封函する事が出来る。
【図面の簡単な説明】
【図１】本発明に係るフラップ折り装置の平面図
【図２】同上側面図
【図３】同上正面図
【図４】段ボールケースの前方内フラップの折り始めを示す平面図
【図５】同上側面図
【図６】同上正面図
【図７】段ボールケースの前方内フラップを折り、内フラップ押さえ板で押さえた状態を示す平面図
【図８】同上側面図
【図９】同上正面図
【図１０】段ボールケースの後方内フラップを折り始めた状態を示す平面図
【図１１】同上側面図
【図１２】同上正面図
【図１３】段ボールケースの後方内フラップを折り終わった状態を示す平面図
【図１４】同上側面図
【図１５】同上正面図
【図１６】段ボールケースの外フラップを半開きにした状態を示す平面図
【図１７】同上側面図
【図１８】同上正面図
【図１９】段ボールケースの外フラップをアールガイドで折り終わった状態を示す平面図
【図２０】同上側面図
【図２１】同上正面図
【図２２】本発明に係るフラップ折り装置を製品の梱包装置に組み入れた状態を示す平面図
【符号の説明】
１．．．フラップ折り装置全体
２．．．段ボールケースの搬送台
３．．．封函装置（テーピング装置）
４．．．ハンマー
５．．．アールガイド
６．．．軸
７．．．エアシリンダー
８．．．内フラップ押さえ板
９．．．エアシンダー
１０．．．前方内フラップ
１１．．．後方内フラップ
１２．．．外フラップ
１３．．．段ボールケース送り爪
１４．．．段ボールケース
１５．．．巻テープ
１６．．．フラップ折り装置を組み込む梱包装置の全体を示す台
１７．．．内容物
１８．．．外フラップ押さえ棒
１９．．．従来のフラップ折り装置
【図１】
2004059027.tif 000003
【図２】
2004059027.tif 000004
【図３】
2004059027.tif 000005
【図４】
2004059027.tif 000006
【図５】
2004059027.tif 000007
【図６】
2004059027.tif 000008
【図７】
2004059027.tif 000009
【図８】
2004059027.tif 000010
【図９】
2004059027.tif 000011
【図１０】
2004059027.tif 000012
【図１１】
2004059027.tif 000013
【図１２】
2004059027.tif 000014
【図１３】
2004059027.tif 000015
【図１４】
2004059027.tif 000016
【図１５】
2004059027.tif 000017
【図１６】
2004059027.tif 000018
【図１７】
2004059027.tif 000019
【図１８】
2004059027.tif 000020
【図１９】
2004059027.tif 000021
【図２０】
2004059027.tif 000022
【図２１】
2004059027.tif 000023
【図２２】
2004059027.tif 000024
【手続補正書】
【提出日】平成14年7月26日(2002.7.26)
【手続補正１】
【補正対象書類名】明細書
【補正対象項目名】特許請求の範囲
【補正方法】変更
【補正の内容】
【特許請求の範囲】
【請求項１】
内容物が充填された段ボールケースの内フラップ折り装置と外フラップ折り装置を備えてフラップを折るフラップ折り装置において、前方の内フラップを折るアールガイドと後方の内フラップを折るハンマーとを同軸に構成して、この軸を駆動する駆動源を設けた事を特徴とする段ボールケースのフラップ折り装置。
【請求項２】
前記のアールガイドとハンマーを１軸で一緒に駆動する構成とし、これを駆動する１個のエアシリンダーで駆動する事を特徴とする請求項１に記載の段ボールケースのフラップ折り装置。
【請求項３】
内フラップ押さえ板を設けて内フラップを押さえて、外フラップの上下に設けたエアシリンダーで外フラップを半開きに折り込む事を特徴とする請求項１に記載の段ボールケースのフラップ折り装置。
【請求項４】
段ボールケースの外フラップを半開きにするためにエアシリンダーを設け、そのシリンダーロットの先端に外フラップ押さえ棒を設けて、外フラップを半開きに仮閉めしておいて、内フラップの戻り止めの役目をしているハンマーをフラップ間に挟まずに回転させながら戻し、ハンマーと同軸のアールガイドによって半開きの外フラップを閉め込み、アールガイドで上下外フラップを押さえて、完全に上下外フラップを正しい状態で綴じ、封函することが出来るようにした事を特徴とする請求項１又は請求項３のいずれかの各項に記載の段ボールケースのフラップ折り装置。
【手続補正２】
【補正対象書類名】明細書
【補正対象項目名】０００１
【補正方法】変更
【補正の内容】
【０００１】
【発明の属する技術分野】本発明に係る段ボールケースのフラップ折り装置は、製品の集積（段積）及び投入装置と段ボールケースの製函及び封函部により一組として構成されているセットアップケーサー（製品の梱包装置）において、内容物を充填した段ボールケースのフラップを折り、封函する装置に関するものである。


【手続補正３】
【補正対象書類名】明細書
【補正対象項目名】０００３
【補正方法】変更
【補正の内容】
【０００３】
【発明が解決しようとする課題】本発明は、段ボールケースに内容物を充填した後に、前方の内フラップを折り次いで後方の内フラップを折り、そして上下の外フラップを折り、外フラップの境目が正しい状態に折る事が出来て、設置場所が狭い所にも設置可能なコンパクトな製函部を備えて封函部へ移送出来る装置を提供しようとするものである。


【手続補正４】
【補正対象書類名】明細書
【補正対象項目名】００２３
【補正方法】変更
【補正の内容】
【００２３】内フラップ押さえ板を設けて内フラップを保持させて、外フラップの上下にエアシリンダーを設けて外フラップを半開きにした事により、テーピングの前に外フラップを折り込むための棒状の折り込み装置を設ける必要がなくなり、その分短い距離でテーピング装置（封函部）へ段ボールケースを移送する事が出来る。この結果、製品の梱包装置のためのセットアップケーサーの製函部を短く構成出来るので、設置場所の小スペース化が可能になった。